(57)【特許請求の範囲】
【請求項１】
被検体に向けてＸ線を曝射するように配置されたＸ線ビーム発生手段と、
前記被検体を透過したＸ線を検出するように配置され、検出素子がスライス方向に複数配列された２次元検出器と、
前記Ｘ線ビーム発生手段と前記２次元検出器とを回転して前記被検体をスキャンすることにより３次元データを生成する画像生成手段と、
被検体の３次元データに基づく３次元領域内で複数の関心領域を、操作者が指定できるように構成された指定手段と、
前記被検体に造影剤を注入した後に、前記被検体の３次元領域をスキャンすることにより、前記指定手段により指定された各関心領域毎にその関心領域のＣＴ値がその関心領域に個別に設定されたスキャン開始条件に達したかどうかを判定する監視手段と、
この監視手段の判定に基づき、各関心領域毎にその関心領域のＣＴ値がその関心領域に個別に設定されたスキャン開始条件に達した場合に前記被検体の検査スキャンを開始させるスキャン制御手段と、
を備えることを特徴とするＸ線ＣＴ装置。
【請求項２】
前記指定手段は、前記３次元データのＣＴ値を予め定められたしきい値と比較することにより特定部位を抽出し、抽出された特定部位に前記複数の関心領域を指定することを特徴とする請求項１記載のＸ線ＣＴ装置。
【請求項３】
Ｘ線源と前記被検体との間に設けられ、前記被検体のスライス方向に沿って移動可能な２枚のＸ線遮蔽板を有するスリットと、
前記監視手段がＣＴ値の変化を監視している間、前記複数の関心領域に対応した複数スライスのみに前記Ｘ線源からのＸ線を曝射するように前記スリットの２枚のＸ線遮蔽板相互間の幅を制御するスリット制御手段と、
を備えることを特徴とする請求項１記載のＸ線ＣＴ装置。
【請求項４】
前記２次元検出器の前記スライス方向の幅は、人体における一つの臓器全体を透過したＸ線を同時に検出できる程度の幅であることを特徴とする請求項１に記載のＸ線ＣＴ装置。
【発明の詳細な説明】
【０００１】
【発明の属する技術分野】
本発明は、全身用Ｘ線ＣＴ装置に関し、特に、造影剤を被検体内部に注入し、最適な造影タイミングで被検体をスキャンするＸ線ＣＴ装置に関する。
【０００２】
【従来の技術】
従来、Ｘ線ＣＴ装置において、癌変部を明瞭にするために造影剤を被検体内部に注入し、最適な造影タイミングで被検体をスキャンするリアルプレップスキャンが知られている。
【０００３】
このリアルプレップスキャンにおいては、まず、被検体の一断面像を使用し、この一断面内部の例えば大動脈等の関心領域（以下、ＲＯＩと略称する。）を指定し、そのＲＯＩのＣＴ値を監視する。
【０００４】
そして、被検体内部に注入された造影剤によりそのＲＯＩのＣＴ値が上昇して、そのＣＴ値がある閾値に達したとき、そのＲＯＩが造影剤により十分染まったことを確認する。その後、被検体の検査データの収集を開始する。従って、最適な造影タイミングでスキャンすることができるため、被検体に依らない確実な造影タイミングの捕捉に極めて有効である。
【０００５】
【発明が解決しようとする課題】
しかしながら、従来のリアルプレップスキャンにあっては、被検体の一断面のみにおけるＲＯＩのＣＴ値を監視していたため、観察したい臓器の領域全体が造影剤により最も良く染まったかどうかを観察することができなかった。
【０００６】
また、例えば、動脈層と門脈層を観察したい場合に、ちょうど同じ断面像に最適な動脈血管、門脈血管がないときには、動脈血管と門脈血管との両者を同時に監視することは困難であった。
【０００７】
本発明の目的は、臓器全体の造影状態の監視や異なる血管群の造影状態の監視を行うことにより、最適な造影タイミングで被検体の検査データを収集することができるＸ線ＣＴ装置を提供することにある。
【０００８】
【課題を解決するための手段】
本発明は前記課題を解決するために以下の構成とした。本発明は、被検体に向けてＸ線を曝射するように配置されたＸ線ビーム発生手段と、前記被検体を透過したＸ線を検出するように配置され、検出素子がスライス方向に複数配列された２次元検出器と、前記Ｘ線ビーム発生手段と前記２次元検出器とを回転して前記被検体をスキャンすることにより３次元データを生成する画像生成手段と、被検体の３次元データに基づく３次元領域内で複数の関心領域を、操作者が指定できるように構成された指定手段と、前記被検体に造影剤を注入した後に、前記被検体の３次元領域をスキャンすることにより、前記指定手段により指定された各関心領域毎にその関心領域のＣＴ値がその関心領域に個別に設定されたスキャン開始条件に達したかどうかを判定する監視手段と、この監視手段の判定に基づき、各関心領域毎にその関心領域のＣＴ値がその関心領域に個別に設定されたスキャン開始条件に達した場合に前記被検体の検査スキャンを開始させるスキャン制御手段と、を備えることを特徴とする。
【００１６】
【発明の実施の形態】
以下、本発明のＸ線ＣＴ装置の実施の形態を図面を参照して詳細に説明する。
【００１７】
＜第１の実施の形態＞
図１は、本発明の第１の実施の形態のＸ線ＣＴ装置の概略構成を示すシステム構成図である。図１において、第１の実施の形態のＸ線ＣＴ装置１０は、システム制御部１１、操作部１２、架台・寝台制御部１３、寝台移動部１５、Ｘ線制御装置１７、高電圧発生装置１９、Ｘ線ビーム発生源２１、検出器２３、回転架台２５、データ収集部２７、収集データ記憶装置２９、画像再構成部３１、表示部３３を有している。このＸ線ＣＴ装置１０は、Ｘ線ビーム発生源２１を被検体Ｐの回りに回転させながらＸ線ビームを曝射させるものである。
【００１８】
操作部１２は、マウス、キーボード等であり、各種の情報を入力する。システム制御部１１は、中央処理装置（ＣＰＵ）等から構成され、操作部１２から入力されたスライス厚、回転速度、寝台移動量等を架台・寝台制御信号として架台・寝台制御部１３に対して出力する。システム制御部１１は、Ｘ線ビーム発生を制御するＸ線ビーム発生制御信号をＸ線制御装置１７に対して出力する。
【００１９】
システム制御部１１は、Ｘ線ビームの検出のタイミングを示す検出制御信号をデータ収集部２７に対して出力する。システム制御部１１は、データ収集のためのデータ収集制御信号をデータ収集部２７に対して出力する。
【００２０】
架台・寝台制御部１３は、システム制御部１１により出力された架台、寝台制御信号に基づき回転架台２５を回転させると共に、寝台移動信号を寝台移動部１５に対して出力する。
【００２１】
Ｘ線制御装置１７は、システム制御部１１により出力されたＸ線ビーム発生制御信号に基づき、高電圧発生装置１９による高電圧発生のタイミングを制御する。高電圧発生装置１９は、Ｘ線ビームを曝射させるための高電圧をＸ線制御部１７からの制御信号に従ってＸ線ビーム発生源２１に供給する。
【００２２】
Ｘ線ビーム発生源２１は、高電圧発生装置１９から供給された高電圧によってスライス方向に厚みを持った扇状のＸ線ビームを被検体に向けて多方向から曝射する。検出器２３は、Ｘ線ビーム発生源２１から曝射され、被検体を透過したＸ線ビームを検出する。
【００２３】
図２（ａ）は、検出器２３を３次元的に表した図である。検出器２３は、多チャンネルの検出素子を有し且つスライス方向に複数配列された２次元検出器からなる。各列については、図２（ｂ）のシングルスライスＣＴ用検出器と同様に１，０００チャンネル程度の検出素子がＸ線ビーム発生源２１の焦点を中心として円弧状に配置される。
【００２４】
回転架台２５は、Ｘ線ビーム発生源２１と検出器２３とを保持する。回転架台２５は、図示しない架台回転機構により、Ｘ線ビーム発生源２１と検出器２３との中間点を通る回転軸を中心にして回転される。なお、Ｘ線ビーム発生源２１と検出器２３とが被検体の周囲を１回転しながら、被検体の複数スライス（複数断面）の投影データを収集することを１回のスキャン動作と称する。
【００２５】
データ収集部２７は、システム制御部１１により出力されたデータ収集制御信号に基づき被検体の複数スライスの投影データを同時に収集して出力する。収集データ記憶装置２９は、データ収集部２７によって収集された被検体の複数スライスの投影データを記憶する。
【００２６】
画像再構成部３１は、収集データ記憶装置２９に記憶された複数スライスの投影データに基づき被検体の複数の断層画像を同時に再構成する。表示部３３は、画像再構成部３１で再構成された被検体の複数の断層画像を同時にモニタ上に表示する。
【００２７】
また、システム制御部１１は、ＲＯＩ指定部４１、スキャン開始条件設定部４３、ＣＴ値判定部４５、スキャン制御部４７を有している。ＲＯＩ指定部４１は、画像再構成部３１で得られた被検体の複数の断層画像に基づく３次元データの中に複数のＲＯＩを指定する。
【００２８】
スキャン開始条件設定部４３は、造影剤注入器４４からの造影剤を被検体Ｐに注入して実施されるリアルプレップスキャンを停止させて通常スキャンを開始するためのスキャン開始条件を設定する。
【００２９】
ＣＴ値判定部４５は、ＲＯＩ設定部４１で指定された複数のＲＯＩのＣＴ値がスキャン開始条件設定部４３で設定されたスキャン開始条件を満たしたかどうかを判定する。
【００３０】
スキャン制御部４７は、複数のＲＯＩのＣＴ値がスキャン開始条件を満たした場合には、通常スキャンを開始させる。また、スキャン制御部４７は、リアルプレップスキャンでは低線量のＸ線曝射を行い、通常スキャンでは比較的多線量のＸ線曝射を行う。
【００３１】
次にこのように構成された第１の実施の形態のＸ線ＣＴ装置による３次元リアルプレップ処理を図３のフローチャートを参照しながら説明する。
【００３２】
まず、Ｘ線ビーム発生源２１とマルチスライス用の検出器２３とを被検体Ｐの回りに回転させることにより、ＲＯＩ指定用スキャンを行い、被検体Ｐの３次元データ（ボリュームデータ）を収集する（ステップＳ１１）。この３次元データは、画像再構成部４３１で再構成された複数の断層画像に基づくボリュームデータである。
【００３３】
次に、ＲＯＩ指定部４１は、ステップＳ１１で収集した３次元データの中にＣＴ値を監視するための複数のＲＯＩを指定する。例えば、図４に示すように、３次元データ５０の臓器５１の中に３つのＲＯＩとしてＲ１，Ｒ２，Ｒ３を指定する。Ｒ１，Ｒ２，Ｒ３のそれぞれは、複数の断面に亘っている。３つのＲＯＩは、実際には表示部３３の画面上でマウス等を用いて指定される。
【００３４】
なお、ＲＯＩの指定方法については、例えば、以下の２つの方法を例示することができる。第１の方法は、３次元データのＣＴ値に対して適当なウインドウ幅を設定し、設定されたウインドウ幅に入る例えば、血管部のみを抽出した３Ｄ像を用いてＲＯＩを指定する方法である。第２の方法は、３次元データのＣＴ値に対して微分処理等を施してエッジ検出を行い、ある臓器のみの輪郭を抽出してＲＯＩを指定する方法である。
【００３５】
次に、スキャン開始条件設定部４３は、被検体Ｐの検査データ（通常スキャン）収集を開始するスキャン開始条件を設定する（ステップＳ１３）。このスキャン開始条件としては、例えば、図５（ａ）や図５（ｂ）に示すような条件を例示することができる。
【００３６】
図５（ａ）に示す例では、縦軸をＣＴ値とし、横軸を時間とし、Ｘ0をしきい値とし、Ｒ１におけるＣＴ値をＣＴ１、Ｒ２におけるＣＴ値をＣＴ２、Ｒ３におけるＣＴ値をＣＴ３とした場合に、ＣＴ１＞Ｘ0，ＣＴ２＞Ｘ0，ＣＴ３＞Ｘ0をスキャン開始条件とする。すなわち、ＣＴ１，ＣＴ２，ＣＴ３のそれぞれが全てしきい値Ｘ0を越えたかどうかを条件とする。
【００３７】
図５（ｂ）に示す例では、縦軸をＣＴ値とし、横軸を時間とし、Ｘ1をしきい値とした場合に、（ＣＴ１2＋ＣＴ２2＋ＣＴ３2）1/2＞Ｘ1をスキャン開始条件とする。すなわち、ＣＴ１，ＣＴ２，ＣＴ３のそれぞれの値の二乗の総和の平方根がしきい値Ｘ1を越えたかどうかを条件とする。
【００３８】
なお、図５（ａ）、図５（ｂ）に示すようなスキャン開始条件以外のスキャン開始条件であっても良く、また適当な名前を付加してスキャン開始条件を予め登録しておき、そのスキャン開始条件を読み出すことで設定しても良い。
【００３９】
次に、造影剤注入器４４からの造影剤の被検体Ｐ内部への注入を開始した後（ステップＳ１５）、スキャン制御部４７は、Ｘ線制御装置１７に対して低線量制御信号を送出し、リアルプレップスキャンを実施させる（ステップＳ１７）。このリアルプレップスキャンでは、通常スキャンよりもＸ線ビーム発生源２１の管電流ｍＡを下げて低線量としたり、特殊なＸ線フィルターを用いることで、被検体Ｐへの被曝量を少なくすることができる。
【００４０】
なお、スキャン制御部４７は、造影剤注入器４４からの造影剤の注入に同期させて、リアルプレップスキャンを開始させてもよい。この場合、造影剤注入器４４から造影剤を注入したとき、造影剤の注入を示す注入信号をスキャン制御部４７に送出し、スキャン制御部４７がその注入信号に同期させてリアルプレップスキャンを開始させればよい。このようにすれば、適切なタイミングで確実にリアルプレップスキャンを実施することができる。
【００４１】
また、スキャン制御部４７は、Ｘ線制御装置１７に対して間欠信号を送出することにより、しばらくの間、Ｘ線を間欠的に曝射させても良い。このようにすれば、被検体Ｐへの被曝量を少なくすることができる。
【００４２】
このようにして、ＣＴ値判定部４５は、指定された複数のＲＯＩのＣＴ値がスキャン開始条件に達したかどうかを監視する（ステップＳ１９）。例えば、図５（ａ）に示す例では、時刻ｔ1において、Ｒ１，Ｒ２，Ｒ３のそれぞれのＣＴ値が全てしきい値Ｘ0に達する。また、図５（ｂ）に示す例では、時刻ｔ2において、Ｒ１，Ｒ２，Ｒ３のそれぞれのＣＴ値の二乗の総和の平方根がしきい値Ｘ1に達する。
【００４３】
さらに、指定された複数のＲＯＩのＣＴ値がスキャン開始条件に達した場合には、スキャン制御部４７は、被検体Ｐの通常スキャンを実施する（ステップＳ２１）。この場合には、比較的多量のＸ線を被検体Ｐに曝射して検査データを収集する。
【００４４】
このように、３次元データを用いて複数のＲＯＩを指定し、指定された複数のＲＯＩのＣＴ値がスキャン開始条件に達したときに、Ｘ線量を上げて通常スキャンを開始するので、臓器全体が造影剤により最も良く染まったタイミングで検査データを収集することができる。このため、癌変部等をより明瞭にすることができる。
【００４５】
なお、図６に従来のリアルプレップスキャンによる造影タイミングを説明する図を示す。図７に第１の実施の形態のリアルプレップスキャンによる造影タイミングを説明する図を示す。
【００４６】
図６（ａ）に示すように、従来の方法では、一断面Ｓ１（１スライス）の臓器５１ａの中にＲ１を指定し、指定されたＲ１のＣＴ値が時刻ｔ3でしきい値Ｘ0に達すると、通常スキャンを開始する。この方法では、一断面しか観察していないため、図７（ｂ）からもわかるように、時刻ｔ3では、Ｒ２のＣＴ値はしきい値Ｘ0に達っしていない。このため、臓器全体が十分に染まらないタイミングで検査データを収集していた。
【００４７】
一方、図７（ａ）に示すように、第１の実施の形態の方法では、複数の断面に亘る臓器５１ｂの中にＲ１，Ｒ２，Ｒ３を指定し、Ｒ１，Ｒ２，Ｒ３のＣＴ値の全てがしきい値Ｘ0に達した時刻ｔ4で、通常スキャンを開始する。このため、臓器全体が造影剤により最も良く染まったタイミングで検査データを収集することができる。
【００４８】
＜第２の実施の形態＞
次に、本発明の第２の実施の形態のＸ線ＣＴ装置を説明する。第２の実施の形態のＸ線ＣＴ装置は、異なる血管群のそれぞれの血管群に対して、最適な造影タイミングで検査データを収集することを特徴とする。第２の実施の形態のＸ線ＣＴ装置による３次元リアルプレップ処理を図８のフローチャートを参照しながら説明する。
【００４９】
まず、ＲＯＩ指定用スキャンを行い、被検体Ｐの３次元データを収集する（ステップＳ３１）。
【００５０】
次に、ＲＯＩ指定部４１は、収集した３次元データの中から、ＣＴ値を監視するための複数のＲＯＩを指定する。例えば、図９に示すように、３次元データ５０の大動脈５５の中にＲ４を指定し、臓器５３の中にＲ５を指定する。
【００５１】
次に、スキャン開始条件設定部４３は、被検体Ｐの検査データ（通常スキャン）収集を開始するスキャン開始条件を設定する（ステップＳ３３）。スキャン開始条件としては、例えば、図１０に示すような条件を例示することができる。
【００５２】
図１０に示す例では、縦軸をＣＴ値とし、横軸を時間とし、Ｘ0，Ｘ1をしきい値とし、Ｒ４におけるＣＴ値をＣＴ４、Ｒ５におけるＣＴ値をＣＴ５とした場合に、ＣＴ４＞Ｘ0を第１スキャン開始条件とし、ＣＴ５＞Ｘ1を第２スキャン開始条件とする。なお、｜ＣＴ４−ＣＴ５｜＜Ｘ2を第２スキャン開始条件としても良い。
【００５３】
次に、造影剤注入器４４から被検体Ｐ内部への造影剤の注入を開始した後（ステップＳ３５）、スキャン制御部４７は、指定されたＲ４のための第１リアルプレップスキャンを実施させる（ステップＳ３７）。
【００５４】
そして、ＣＴ値判定部４５は、指定されたＲ４のＣＴ値が第１スキャン開始条件に達したかどうかを監視する（ステップＳ３９）。指定されたＲ４のＣＴ値が図１０に示すように時刻ｔ5で第１スキャン開始条件に達した場合には、スキャン制御部４７は、第１検査データを収集するために被検体Ｐの通常スキャンを実施する（ステップＳ４１）。
【００５５】
次に、スキャン制御部４７は、指定されたＲ５のための第２リアルプレップスキャンを実施させる（ステップＳ４３）。
【００５６】
そして、ＣＴ値判定部４５は、指定されたＲ５のＣＴ値が第２スキャン開始条件に達したかどうかを監視する（ステップＳ４５）。指定されたＲ５のＣＴ値が図１０に示すように時刻ｔ6で第２スキャン開始条件に達した場合には、スキャン制御部４７は、第２検査データを収集するために被検体Ｐの通常スキャンを実施する（ステップＳ４７）。なお、ステップＳ４３からステップＳ４７の処理は必要な回数だけ繰り返し行われる。
【００５７】
このように、２つの血管のそれぞれにＲＯＩを指定し、各ＲＯＩ毎にスキャン開始条件を個別に設定し、ＲＯＩのＣＴ値がそのＲＯＩに対して設定されたスキャン開始条件に達したかどうかを判定するため、異なる２つの最適な造影タイミングで、検査データを収集することができる。
【００５８】
なお、この場合においても、スキャン開始タイミングを造影剤注入器４４からの造影剤の注入タイミングと同期させて行っても良く、また、間欠的にＸ線を曝射しても良い。
【００５９】
図１１に従来のリアルプレップスキャンによる造影タイミングを説明する図を示す。図１２に第２の実施の形態のリアルプレップスキャンによる造影タイミングを説明する図を示す。
【００６０】
図１１（ａ）に示すように、従来の方法では、一断面Ｓ２（１スライス）の中にＲ４（大動脈）を指定し、指定されたＲ４のＣＴ値が時刻ｔ7でしきい値Ｘ0に達すると、通常スキャン（第１スキャン）を開始する。この方法では、動脈層には最適な造影タイミングである。しかし、Ｒ４しか観察していないため、平衡層や門脈層の最適な造影タイミングがわからない。このため、平衡層や門脈層の造影タイミングは、術者のカンと経験に依存していた。なお、図１１（ｂ）において、動脈層の終了時刻から平衡層の開始時刻までの時間ｔｄが、術者のカンと経験に依存する時間である。
【００６１】
一方、図１２（ａ）に示すように、第２の実施の形態の方法では、血管５５の中にＲ４（大動脈）を指定し、血管５３の中にＲ５（門脈）を指定し、Ｒ４のＣＴ値が時刻ｔ7で第１スキャン開始条件に達した場合に第１スキャンを開始し、Ｒ５のＣＴ値が時刻ｔ9で第２スキャン開始条件に達した場合に第２スキャンを開始する。従って、動脈層、門脈層、平衡層のそれぞれについて最適な造影タイミングで検査データを収集することができる。
【００６２】
＜第３の実施の形態＞
次に、本発明の第３の実施の形態のＸ線ＣＴ装置を説明する。図１３は、第３の実施の形態のＸ線ＣＴ装置の主要部の構成ブロック図である。このＸ線ＣＴ装置は、図１３に示すように、さらに、スリット６１、スリット制御部６３を備えることを特徴とする。
【００６３】
スリット６１は、Ｘ線ビーム発生源２１と被検体Ｐとの間に設けられ、スライス方向に沿って移動可能な２枚のＸ線遮蔽板を有する。スリット制御部６３は、システム制御部１１ａ内のＲＯＩ指定部４１で指定された複数のＲＯＩに基づき、この複数のＲＯＩに対応した複数スライスのみにＸ線を曝射するようにスリット６１の２枚のＸ線遮蔽板相互間の幅を制御する。
【００６４】
このように構成されたＸ線ＣＴ装置によれば、図１３に示すように、スリット制御部６３は、指定されたＲ１とＲ２とに対応する例えば３つのスライスのみにＸ線ＦＢを曝射するようにスリット６１の２枚のＸ線遮蔽板相互間の幅を制御するため、Ｒ１，Ｒ２以外の臓器５７の残りの部位にＸ線が曝射されないから、被検体Ｐへの不要な被曝量を少なくすることができる。
【００６５】
なお、本発明は前述した第１乃至第３の実施の形態のＸ線ＣＴ装置に限定されるものではない。第１乃至第３の実施の形態では、マルチスライス用の検出器２３を用いたが、例えば、図１４に示すように平面検出器６５を用いて、Ｘ線ビーム発生源２１と平面検出器６５とを被検体Ｐの回りに回転させることにより、３次元データを収集してもよい。
【００６６】
また、図２（ｂ）に示すようなシングルスライス用の検出器２３ａを用いて、寝台１５ａを寝台移動部１５によりスライス方向に所定速度で移動させることによりヘリカルスキャンを行い、ヘリカルスキャンにより得られたヘリカルデータ、すなわち、被検体の３次元データを収集してもよい。
【００６７】
【発明の効果】
本発明によれば、３次元データで複数の関心領域を指定し、臓器全体の造影状態の監視や異なる血管群の造影状態の監視を行うため、臓器全体や異なる血管群に対して最適な造影タイミングで被検体の検査データを収集することができる。
【図面の簡単な説明】
【図１】本発明の第１の実施の形態のＸ線ＣＴ装置の概略構成を示すシステム構成図である。
【図２】検出器を３次元的に表した図である。
【図３】第１の実施の形態のＸ線ＣＴ装置による３次元リアルプレップ処理を示すフローチャートである。
【図４】臓器の中で指定された３つのＲＯＩを示す図である。
【図５】第１の実施の形態のスキャン開始条件を示す図である。
【図６】従来のリアルプレップスキャンによる造影タイミングを説明する図である。
【図７】第１の実施の形態のリアルプレップスキャンによる造影タイミングを説明する図である。
【図８】第２の実施の形態のＸ線ＣＴ装置による３次元リアルプレップ処理を示すフローチャートである。
【図９】大動脈と門脈とのそれぞれに指定されたＲＯＩを示す図である。
【図１０】第２の実施の形態のスキャン開始条件を示す図である。
【図１１】従来のリアルプレップスキャンによる造影タイミングを説明する図である。
【図１２】第２の実施の形態のリアルプレップスキャンによる造影タイミングを説明する図である。
【図１３】第３の実施の形態のＸ線ＣＴ装置の主要部の構成ブロック図である。
【図１４】平面検出器を用いて３次元データを収集するＸ線ＣＴ装置を示す図である。
【符号の説明】
１０…Ｘ線ＣＴ装置、１１…システム制御部、１２…操作部、１３…架台・寝台制御部、１５…寝台移動部、１５ａ…寝台、１７…Ｘ線制御装置、１９…高電圧発生装置、２１…Ｘ線ビーム発生源、２３…検出器、２５…回転架台、２７…データ収集部、２９…収集データ記憶装置、３１…画像再構成部、３３…表示部、４１…ＲＯＩ指定部、４３…スキャン開始条件設定部、４４…造影剤注入器、４５…ＣＴ値判定部、４７…スキャン制御部、６１…スリット、６３…スリット制御部、６５…平面検出器、Ｐ…被検体、Ｒ１〜Ｒ５…ＲＯＩ（関心領域）。
【図１】
0004406104.tif 000002
【図２】
0004406104.tif 000003
【図３】
0004406104.tif 000004
【図４】
0004406104.tif 000005
【図５】
0004406104.tif 000006
【図６】
0004406104.tif 000007
【図７】
0004406104.tif 000008
【図８】
0004406104.tif 000009
【図９】
0004406104.tif 000010
【図１０】
0004406104.tif 000011
【図１１】
0004406104.tif 000012
【図１２】
0004406104.tif 000013
【図１３】
0004406104.tif 000014
【図１４】
0004406104.tif 000015